(57)【要約】【課題】意匠性の向上を確保することができるうえ、仮設のエレベータ呼び釦やインターフェース回路といった一時的な設備を不要として作業コストを削減することができるエレベータ呼び装置を提供する。【解決手段】２系統のエレベータ呼びスイッチ１１，１２が上昇用呼び釦１０ａ又は下降用呼び釦１０ｂの少なくとも一方の押圧操作に連動してＯＮされ、コネクタ１７が一方のエレベータ呼びスイッチ１１と接続インターフェース１３を介して接続され、コネクタ１８が他方のエレベータ呼びスイッチ１２と接続され、コネクタ１７に新設のエレベータ制御盤２０が接続され、コネクタ１８に既設のエレベータ制御盤３０が接続される。【選択図】　　　　図１
2004107071.tif 000002
【特許請求の範囲】
【請求項１】
上昇用呼び釦又は下降用呼び釦の少なくとも一方を備えると共に該上昇用呼び釦又は下降用呼び釦の押圧操作に連動してＯＮされる２系統のエレベータ呼びスイッチと、該エレベータ呼びスイッチの一方と接続インターフェースを介して接続された第１のコネクタと、前記エレベータ呼びスイッチの他方と接続された第２のコネクタと、前記第１のコネクタと接続可能な第１のエレベータ制御盤と、前記第２のコネクタと接続可能な第２のエレベータ制御盤とを備えていることを特徴とするエレベータ呼び装置。
【請求項２】
前記エレベータ呼びスイッチの他方と前記第２のコネクタとの間に経路切り替えスイッチが設けられ、該経路切り替えスイッチの一方に前記第２のコネクタが接続され、前記経路切替スイッチの他方に第２の接続インターフェースを介して第３のコネクタが接続されていることを特徴とする請求項１に記載のエレベータ呼び装置。
【請求項３】
上昇用呼び釦又は下降用呼び釦の少なくとも一方を備えると共に該上昇用呼び釦又は下降用呼び釦の押圧操作に連動してＯＮされる２系統のエレベータ呼びスイッチと、該エレベータ呼びスイッチの一方と接続インターフェースを介して接続された第１のコネクタと、前記エレベータ呼びスイッチの他方と接続された第２のコネクタとを備えていることを特徴とするエレベータ呼び釦。
【請求項４】
前記エレベータ呼びスイッチの他方と前記第２のコネクタとの間に経路切り替えスイッチが設けられ、該経路切り替えスイッチの一方に前記第２のコネクタが接続され、前記経路切替スイッチの他方に第２の接続インターフェースを介して第３のコネクタが接続されていることを特徴とする請求項３に記載のエレベータ呼び釦。
【請求項５】
上昇用呼び釦又は下降用呼び釦の少なくとも一方を備えると共に該上昇用呼び釦又は下降用呼び釦の押圧操作に連動してＯＮされるエレベータ呼びスイッチと、該エレベータ呼びスイッチに分岐回路を有する外付けインターフェース回路と、該外付けインターフェース回路で分岐された一方に接続された第１のコネクタと、前記外付けインターフェース回路で分岐された他方にリレー系インターフェースを介して接続された第２のコネクタと、前記第１のコネクタと接続可能な第１のエレベータ制御盤と、前記第２のコネクタと接続可能な第２のエレベータ制御盤とを備えていることを特徴とするエレベータ呼び装置。
【請求項６】
上昇用呼び釦又は下降用呼び釦の少なくとも一方を備えると共に該上昇用呼び釦又は下降用呼び釦の押圧操作に連動してＯＮされるエレベータ呼びスイッチと、該エレベータ呼びスイッチに分岐回路を有する外付けインターフェース回路と、該外付けインターフェース回路で分岐された一方に接続された第１のコネクタと、前記外付けインターフェース回路で分岐された他方にリレー系インターフェースを介して接続された第２のコネクタとを備えていることを特徴とするエレベータ呼び釦。
【発明の詳細な説明】
【０００１】
【発明の属する技術分野】
本発明は、エレベータ呼び釦とエレベータ制御盤とを備えたエレベータ呼び装置及びエレベータ呼び釦に関する。
【０００２】
【従来の技術】
従来から、群管理方式等のエレベータには、エレベータリニューアルに際してエレベータホールに既設のエレベータ呼び釦の交換方法が知られている（例えば、特許文献１参照。）。
【０００３】
この特許文献１に記載の群管理方式のエレベータのリニューアル方法は、全てのエレベータ（例えば、２基）を１度に撤去して行なうことができないため、１基ずつリニューアルすることとしている。
【０００４】
一般に、群管理方式のエレベータは、複数台のエレベータ（例えば、２基）を一つのエレベータ釦で共用し、エレベータ呼びの方向（上昇か下降か）を考慮したうえで呼び階に近い位置にいるエレベータかごを呼び階へと移動・停止させるものである。
【０００５】
従って、リニューアルする方のエレベータに既設の設備、例えば、エレベータ乗場開口を形成する三方枠や、既設のエレベータ扉は、リニューアル工事の際には、囲い等によって養生して第三者の侵入を防止する必要がある。
【０００６】
また、この養生用の囲いを配置する際には、リニューアルする方のエレベータに対する呼びを無効とするため、上述した共用のエレベータ呼び釦も囲う必要がある。
【０００７】
しかしながら、このエレベータ呼び釦を囲ってしまうと、後からリニューアルするもう一方のエレベータを就役させる呼び釦が無くなってしまうので、養生用の囲いの側面に仮設の呼び釦を構成しておき、その仮設のエレベータ呼び釦の操作によってリニューアル前のエレベータを就役させる。
【０００８】
つまり、各階には、リニューアル前の既設のエレベータ呼び釦と仮設のエレベータ呼び釦の二つが設置されることとなる。
【０００９】
この際、リニューアル前の制御盤には接続線を介して既設のエレベータ呼び釦が接続されていたが、この接続を解いて同じ接続線に仮設のエレベータ呼び釦を接続する。
【００１０】
この接続の変更によって、既設のエレベータ呼び釦は制御盤から電気的に切り離された状態になるため、その撤去作業と仮設のエレベータ呼び釦の取り付け作業を行なっても、仮設のエレベータ呼び釦によって既設のエレベータを稼働させながら行なうことができる。
【００１１】
従って、エレベータを２基とも停止させる期間は、新旧のエレベータ呼び釦の接続変更作業時だけで済み、エレベータ利用者に対する犠牲を最小限とすることができる。
【００１２】
尚、仮設のエレベータ呼び釦は、囲いと共に各階毎に取り付ける。また、新設のエレベータ呼び釦の取り付け作業終了後は、囲いの撤去と共に仮設のエレベーター呼び釦を除去しても、リニューアルした新設のエレベータ呼び釦によって既設のエレベータを稼働させることができる。
【００１３】
ところで、エレベータをリニューアルする場合、既設のエレベータが古いために速度が遅かったり、遠隔管理するための監視装置を設置するなどの理由が多いと考えられる。
【００１４】
従って、上記の如く構成されたエレベータ呼び装置にあっては、上記特許文献１には開示されていないものの、実際のリニューアルに際しては、その駆動を制御するためのエレベータ制御盤の交換が余儀なくされる。
【００１５】
図４は、このようなエレベータ制御盤を考慮した群管理方式のエレベータの交換時において、既設のエレベータを稼動させながら交換を可能とした場合のエレベータ呼び装置のブロック説明図である。
【００１６】
図４において、１は既設のエレベータ制御盤、２は既設のエレベータ制御盤１によって制御される仮設のエレベータ呼び釦、３は新設のエレベータ制御盤、４は新設のエレベータ呼び釦である。
【００１７】
このように、リニューアルされるエレベータは、新設のエレベータ制御盤３により運行等が制御されると共に、エレベータフロアからの呼びは新設のエレベータ呼び釦４にて呼び出される。
【００１８】
また、既設のエレベータは、リニューアルされるまでは、既設のエレベータ制御盤１により運行等が制御されると共に、エレベータフロアからの呼びは仮設のエレベータ呼び釦２にて呼び出される。
【００１９】
即ち、既設と新設のエレベータが共に稼動している間（基本的には殆どないか１〜２日程度と考えられる）は、群管理方式ではなく、結果的に独立運行状態となる。
【００２０】
図５は、このような既設と新設のエレベータが共に稼動する状態となる期間が長い場合のエレベータ制御盤を考慮した群管理方式のエレベータの交換時において、既設のエレベータを稼動させながら交換を可能とした場合のエレベータ呼び装置のブロック説明図である。
【００２１】
図５において、１は既設のエレベータ制御盤、３は新設のエレベータ制御盤、４は新設のエレベータ呼び釦、５は既設のエレベータ制御盤１を新設のエレベータ制御盤３にて関連付けして新設のエレベータ呼び釦４からのエレベータ呼びを可能とするインターフェース回路である。
【００２２】
【特許文献１】
特開平８−９１７２８号公報（［０００８］−［００１０］、図１−図２）
【００２３】
【発明が解決しようとする課題】
ところで、上述したエレベータ制御盤を考慮したエレベータ呼び装置にあっては、例えば、図４に示した構成にあっては、例え、使いまわしができるとはいっても、一時的に仮設のエレベータ呼び釦２が必要となり、その工事期間のレンタル料や既設のエレベータ制御盤１への配線工事等といったリニューアル工事代金が反映されて作業コストが高騰するうえ、ビル用途や意匠性の観点（例えば、エレベータ利用者がデパート等の不特定多数の利用客である場合）から、仮設のエレベータ呼び釦を設置することができない場合があるといった問題が発生していた。
【００２４】
また、図５に示した構成にあっては、インターフェース回路５を追加設置する必要があるが、このインターフェース回路５も一時的に使用されるもので上述した仮設のエレベータ呼び釦２と同様に作業コストが高騰する要因となるうえ、近年のエレベータ制御盤の小型化により、エレベータ制御盤の構成体（本体）とは別に、盤面（インターフェースボードの接続スロット等）を設置する必要があるといった問題が発生していた。
【００２５】
さらに、何れの構成においても、例えば、リニューアル後の追加の設定やオプション設定（例えば、故障時のバックアップ運転等）を可能とするには、少なくとも新設のエレベータ制御盤をさらに改造する必要があるなど、リニューアルしたにもかかわらず、汎用性が低いという問題も生じていた。
【００２６】
本発明は、上記問題を解決するため、意匠性の向上を確保することができるうえ、仮設のエレベータ呼び釦やインターフェース回路といった一時的な設備を不要として作業コストを削減することができるエレベータ呼び装置を提供することを目的とする。
【００２７】
また、リニューアル後の汎用性を向上させることができるエレベータ呼び装置を提供することを目的とする。
【００２８】
【課題を解決するための手段】
その目的を達成するため、本発明のエレベータ呼び装置は、上昇用呼び釦又は下降用呼び釦の少なくとも一方の押圧操作に連動してＯＮされる２系統のエレベータ呼びスイッチと、該エレベータ呼びスイッチの一方と接続インターフェースを介して接続された第１のコネクタと、前記エレベータ呼びスイッチの他方と接続された第２のコネクタと、前記第１のコネクタと接続可能な第１のエレベータ制御盤と、前記第２のコネクタと接続可能な第２のエレベータ制御盤とを備えていることを特徴とする。
【００２９】
また、本発明のエレベータ呼び装置は、前記エレベータ呼びスイッチの他方と前記第２のコネクタとの間に経路切り替えスイッチが設けられ、該経路切り替えスイッチの一方に前記第２のコネクタが接続され、前記経路切替スイッチの他方に第２の接続インターフェースを介して第３のコネクタが接続されていることを特徴とする。
【００３０】
また、本発明のエレベータ呼び釦は、上昇用呼び釦又は下降用呼び釦の少なくとも一方の押圧操作に連動してＯＮされる２系統のエレベータ呼びスイッチと、該エレベータ呼びスイッチの一方と接続インターフェースを介して接続された第１のコネクタと、前記エレベータ呼びスイッチの他方と接続された第２のコネクタとを備えていることを特徴とする。
【００３１】
また、本発明のエレベータ呼び釦は、前記エレベータ呼びスイッチの他方と前記第２のコネクタとの間に経路切り替えスイッチが設けられ、該経路切り替えスイッチの一方に前記第２のコネクタが接続され、前記経路切替スイッチの他方に第２の接続インターフェースを介して第３のコネクタが接続されていることを特徴とする。
【００３２】
また、本発明のエレベータ呼び装置は、上昇用呼び釦又は下降用呼び釦の少なくとも一方の押圧操作に連動してＯＮされるエレベータ呼びスイッチと、該エレベータ呼びスイッチに分岐回路を有する外付けインターフェース回路と、該外付けインターフェース回路で分岐された一方に接続された第１のコネクタと、前記外付けインターフェース回路で分岐された他方にリレー系インターフェースを介して接続された第２のコネクタと、前記第１のコネクタと接続可能な第１のエレベータ制御盤と、前記第２のコネクタと接続可能な第２のエレベータ制御盤とを備えていることを特徴とする。
【００３３】
さらに、本発明のエレベータ呼び釦は、上昇用呼び釦又は下降用呼び釦の少なくとも一方の押圧操作に連動してＯＮされるエレベータ呼びスイッチと、該エレベータ呼びスイッチに分岐回路を有する外付けインターフェース回路と、該外付けインターフェース回路で分岐された一方に接続された第１のコネクタと、前記外付けインターフェース回路で分岐された他方にリレー系インターフェースを介して接続された第２のコネクタとを備えていることを特徴とする。
【００３４】
【発明の実施の形態】
次に、本発明のエレベータ呼び装置の実施の形態を、群管理方式のエレベータのリニューアルに適用し、図面に基づいて説明する。
【００３５】
図１は本発明の実施の形態に係わるエレベータ呼び装置の要部のブロック回路図、図２は本発明の実施の形態に係わるエレベータ呼び装置の新設のエレベータ呼び釦と既設のエレベータ制御盤並びに新設のエレベータ制御盤との関係を示すブロック説明図である。
【００３６】
図１及び図２において、１０はエレベータホール（図示せず）に新設されるエレベータ呼び釦、１１，１２はエレベータ呼び釦１０に設けられたエレベータ呼びスイッチ、１３，１４はエレベータ呼び釦１０に設けられた新設のエレベータ制御盤２０に対応した接続インターフェース、１５，１６は切換用ジャンパースイッチ、１７は新設のエレベータ制御盤２０にエレベータ呼び釦１０を接続するためのコネクタ、１８は既設のエレベータ制御盤３０にエレベータ呼び釦１０を接続するためのコネクタである。
【００３７】
エレベータ呼びスイッチ１１，１２は、互いに連動するスイッチであり、それぞれ個別に接点回路（図示せず）が形成されている。なお、図１では図示を省略するが、このエレベータ呼びスイッチ１１，１２は、上昇用呼び釦１０ａと下降用呼び釦１０ｂの双方に設けられる。また、エレベータ呼びスイッチ１１は接続インターフェース１３に接続され、エレベータ呼びスイッチ１２はジャンパースイッチ１５，１６に接続されている。
【００３８】
接続インターフェース１３は、表示機能を具備しており、コネクタ１７を介して新設のエレベータ制御盤２０に接続されている。また、接続インターフェース１４は、リニューアル完全終了後に使用可能となっており、コネクタ１９を介して新設のエレベータ制御盤２０等への接続が可能となっている。
【００３９】
ジャンパースイッチ１５，１６は、図示実線で示す状態の時にはコネクタ１８を介して既設のエレベータ制御盤３０と接続され、図示破線で示す状態の時には接続インターフェース１４と接続される。
【００４０】
コネクタ１７は、接続インターフェース１３と新設のエレベータ制御盤２０とにそれぞれ接続された雌雄の異なるコネクタ本体１７ａ，１７ｂを有する。コネクタ１８は、ジャンパースイッチ１５，１６と既設のエレベータ制御盤３０とにそれぞれ接続された雌雄の異なるコネクタ本体１８ａ，１８ｂを有する。コネクタ１９は、接続インターフェース１４と新設のエレベータ制御盤２０等とにそれぞれ接続された雌雄の異なるコネクタ本体１９ａ，１９ｂを有する。
【００４１】
新設のエレベータ制御盤２０は、リニューアルされるエレベータの機能に対応してそのエレベータを制御する。
【００４２】
既設のエレベータ制御盤３０は、リニューアル前の既設のエレベータ機能に対応してそのエレベータを制御する。尚、例えば、群管理されるエレベータが２基であった場合、その２基の双方がリニューアルされた場合には、既設のエレベータ制御盤３０は撤去される。
【００４３】
次に、例えば、２基のエレベータが並列して設けられた建物において、一方のエレベータを先にリニューアルし、その一方のエレベータのリニューアル開始から完了までの間は他方のエレベータのみが稼動し、一方のエレベータがリニューアル完了した後に、他方のエレベータのリニューアルを開始し、その他方のエレベータがリニューアル完了するまでの間はリニューアル後の一方のエレベータのみが稼動し、双方のエレベータがリニューアル完了するまでの一連の流れを説明する。
【００４４】
まず、既設の２基のエレベータのうち、一方のエレベータを先にリニューアルするため、既設のエレベータ呼び釦（図示せず）を各階のエレベータホールから取り外し、新たにエレベータ呼び釦１０を設置する。
【００４５】
これと同時に、エレベータかご、エレベータ扉、その他必要なリニューアルのエレベータ構造体の交換作業を行う。
【００４６】
この際、新設のエレベータ制御盤２０を所定の位置に設置するとともに、既設のエレベータ制御盤３０を残存させる。
【００４７】
この後、コネクタ１７により新設のエレベータ制御盤２０と新設のエレベータ呼び釦１０とを接続すると共に、コネクタ１８により既設のエレベータ制御盤３０と新設のエレベータ呼び釦１０とを接続する。この際、ジャンパースイッチ１５，１６は、図示実線状態とする。
【００４８】
この状態において、上昇用呼び釦１０ａ又は下降用呼び釦１０ｂを押圧操作すると、エレベータ呼びスイッチ１１，１２が連動してＯＮし、エレベータ呼びスイッチ１１のＯＮに伴う信号は接続インターフェース１３及びコネクタ１７を経由して新設のエレベータ制御盤２０へと伝送される。また、エレベータ呼びスイッチ１２のＯＮに伴う信号はジャンパースイッチ１５，１６及びコネクタ１８を経由して既設のエレベータ制御盤３０へと伝送される。
【００４９】
これにより、新設のエレベータ呼び釦１０でありながら、既設のエレベータ制御盤３０を利用しての既設のエレベータの稼動を実現することができる。
【００５０】
この際、新設のエレベータのリニューアル工事完了前にあっては、新設のエレベータ制御盤２０によりエレベータの呼びがキャンセルされ、既設のエレベータのみが稼動する。また、新設のエレベータのリニューアル工事完了後で他方のエレベータのリニューアル工事開始前にあっては、既設並びに新設の双方のエレベータが稼動するが、ジャンパースイッチ１５，１６を図示破線状態へと切り替えることにより既設のエレベータの稼動を停止することも可能である。
【００５１】
さらに、一方のエレベータのリニューアル工事が完了し、他方のエレベータのリニューアル工事を開始する場合には、上記と同様にジャンパースイッチ１５，１６を図示破線状態へと切り替えることにより、既設のエレベータの稼動を停止し、新設のエレベータのみを稼動させる。
【００５２】
また、他方のエレベータのリニューアル工事が完了した場合には、既設のエレベータ制御盤３０を除去すると共に、ジャンパースイッチ１５，１６を図示破線状態とすることにより、新設された２基のエレベータが新設のエレベータ制御盤２０により群管理される。
【００５３】
この際、新設のエレベータ制御盤２０の機能により、エレベータ呼びスイッチ１１，１２のうち、一方のエレベータ呼びスイッチ１１のみで２基のエレベータの群管理が可能となるが、エレベータ呼びスイッチ１２を有効利用するため、図示破線状態へとジャンパースイッチ１５，１６を切り替えたことにより接続インターフェース１４並びにコネクタ１９を経由して新設のエレベータ制御盤２０に信号を伝送するようにすることも可能である。
【００５４】
これにより、一方のスイッチ系が何らかの原因で故障した場合、他方のスイッチ系を利用しての稼動も可能となる等、バックアップ回路を構成することができる。
【００５５】
また、コネクタ１９に他のエレベータ機能用の駆動回路等に接続することにより、追加機能やオプション機能の設置（例えば、ＴＶモニタ接続など）も可能とする。
【００５６】
このように、新設のエレベータ呼び釦１０に２系統の個別出力可能なスイッチ機能を具備させることにより、既設・新設の各エレベータ制御盤２０，３０に同時に信号を供給することができ、従来技術で説明した仮設のエレベータ呼び釦２やインターフェース回路（インターフェースボード）５を不用としながらこれらを設けた場合と同様の作用・効果を奏することができる。
【００５７】
図３は、このようなエレベータ呼び装置の変形例を示す要部のブロック回路図である。
【００５８】
図３において、４０は表示機能を有する新設のエレベータ呼び釦、４１は外付けのインターフェース回路である。
【００５９】
この外付けのインターフェース回路４１は、新設のエレベータ呼び釦４０からの信号を分岐回路４２で分岐し、一方の信号はコネクタ１７を介して新設のエレベータ制御盤２０へと伝送し、他方の信号はリレー系インターフェース４３並びにコネクタ１８を介して既設のエレベータ制御盤３０へと伝送する。
【００６０】
全てのエレベータのリニューアルが完了した場合には、外付けインターフェース回路４１のリレー系インターフェース４３を取り外して直接コネクタ１８を介して新設のエレベータ制御盤２０へと伝送する。
【００６１】
このような構成としても、リニューアル後においても２系統のスイッチ回路を確保することができる。
【００６２】
これにより、複数のエレベータをシングルカーに切り換えた場合の簡易的なエレベータ呼びの共通化に対応することが可能となるうえ、故障時のバックアップ回路の確保ができるばかりでなく、例えば、段違いサービスやバンク分割サービスといった追加・オプションを実施した際にエレベータ呼び釦４０の回路分割を実施することなく対応することが可能となる。
【００６３】
【発明の効果】
本発明のエレベータ呼び装置にあっては、以上説明したように構成したことにより、意匠性の向上を確保することができるうえ、仮設のエレベータ呼び釦やインターフェース回路といった一時的な設備を不要として作業コストを削減することができる。
【図面の簡単な説明】
【図１】本発明の実施の形態に係わるエレベータ呼び装置の要部のブロック回路図である。
【図２】本発明の実施の形態に係わるエレベータ呼び装置の新設のエレベータ呼び釦と既設のエレベータ制御盤並びに新設のエレベータ制御盤との関係を示すブロック説明図である。
【図３】本発明の実施の形態に係わるエレベータ呼び装置の変形例を示す要部のブロック回路図である。
【図４】エレベータ制御盤を考慮した群管理方式のエレベータの交換時における既設のエレベータを稼動させながら交換を可能とした場合のエレベータ呼び装置のブロック説明図である。
【図５】既設と新設のエレベータが共に稼動する状態となる期間が長い場合のエレベータ制御盤を考慮した群管理方式のエレベータの交換時における既設のエレベータを稼動させながら交換を可能とした場合のエレベータ呼び装置のブロック説明図である。
【符号の説明】
１０　エレベータ呼び釦、１０ａ　上昇用呼び釦、１０ｂ　下降用呼び釦、１１　エレベータ呼びスイッチ、１２　エレベータ呼びスイッチ、１３　接続インターフェース、１４　接続インターフェース（第２の接続インターフェース）、１５　ジャンパースイッチ（経路切り替えスイッチ）、１６　ジャンパースイッチ（経路切り替えスイッチ）、１７　コネクタ（第１のコネクタ）、１８　コネクタ（第２のコネクタ）、１９　コネクタ（第３のコネクタ）、２０　エレベータ制御盤（新設のエレベータ制御盤）、３０　エレベータ制御盤（既設のエレベータ制御盤）。
【図１】
2004107071.tif 000003
【図２】
2004107071.tif 000004
【図３】
2004107071.tif 000005
【図４】
2004107071.tif 000006
【図５】
2004107071.tif 000007